(57)【要約】【課題】同一電話番号の再度通話時における通話音声の周波数特性変更に関わる操作性がよくない。【解決手段】通話相手先と通話するハンドセット部１３Ａと、通話相手先との通話音声に関わる周波数特性を変更する周波数特性変更部４６と、この周波数特性変更部４６にて変更した周波数特性及び、この通話相手先の電話番号を対応付けて記憶管理する親機記憶部２０Ａと、電話着信や電話発信を検出すると、この通話相手先の電話番号に対応した周波数特性を親機記憶部から検索する周波数特性検索部４８と、この周波数特性検索部にて周波数特性を検索すると、この周波数特性に基づいて、前記通話相手先との通話音声を音質制御すべく、親機ＤＳＰ１１Ａを制御する音質制御部４５とを有している。【選択図】  図３
2005020424.tif 000002
【特許請求の範囲】
【請求項１】
通話相手先と通話する通話手段と、
前記通話相手先との通話音声に関わる周波数特性を変更する周波数特性変更手段と、
この周波数特性変更手段にて変更した周波数特性及び、この通話相手先の電話番号を対応付けて記憶管理する周波数特性記憶手段と、
前記通話相手先との通信動作を検出する通信動作検出手段と、
この通信動作検出手段にて前記通話相手先との通信動作を検出すると、この通話相手先の電話番号に対応した周波数特性を前記周波数特性記憶手段から検索する周波数特性検索手段と、
この周波数特性検索手段にて周波数特性を検索すると、この周波数特性に基づいて、前記通話相手先との通話音声を音質制御する音質制御手段とを有することを特徴とする電話機。
【請求項２】
前記音質制御手段は、
前記周波数特性検索手段にて周波数特性を検索すると、この周波数特性に基づいて、前記通話相手先との通話音声の内、この通話相手先からの受話音声を音質制御することを特徴とする請求項１記載の電話機。
【請求項３】
前記音質制御手段は、
前記周波数特性検索手段にて周波数特性を検索すると、この周波数特性に基づいて、前記通話相手先との通話音声の内、この通話相手先への送話音声を音質制御することを特徴とする請求項１又は２記載の電話機。
【請求項４】
前記周波数特性変更手段は、
前記通話相手先との通話中に所定操作を検出すると、前記通話相手先との通話音声に関わる周波数特性を変更することを特徴とする請求項１、２又は３記載の電話機。
【請求項５】
前記周波数特性変更手段にて前記通話相手先との通話音声に関わる周波数特性を変更すると、この通話相手先との終話に応じて、この通話相手先の通話音声に関わる周波数特性と、この通話相手先の電話番号とを対応付けて前記周波数特性記憶手段に記憶する周波数特性記憶制御手段を有することを特徴とする請求項１、２、３又は４記載の電話機。
【請求項６】
前記周波数特性変更手段は、
前記通話相手先からの所定ＤＴＭＦ信号を検出すると、前記通話相手先との通話音声に関わる周波数特性を変更することを特徴とする請求項１、２、３、４又は５記載の電話機。
【請求項７】
前記通信動作検出手段は、
前記通話相手先からの着信動作に伴う前記通話相手先の発信者番号通知を前記通話相手先に関わる通信動作とすることを特徴とする請求項１、２，３，４、５又は６記載の電話機。
【請求項８】
前記通信動作検出手段は、
前記通話相手先への発信動作を、前記通話相手先に関わる通信動作とすることを特徴とする請求項１、２、３，４，５、６又は７記載の電話機。
【請求項９】
通話相手先との通話音声に関わる周波数特性を変更すると、この変更した周波数特性と、この通話相手先の電話番号とを対応付けて記憶管理し、前記通話相手先との通信動作を検出すると、この通話相手先の電話番号に対応した周波数特性を記憶管理内容から検索し、この検索した周波数特性に基づいて、前記通話相手先との通話音声を音質制御することを特徴とする電話機の音質制御方法。
【発明の詳細な説明】
【０００１】
【発明の属する技術分野】
本発明は、通話中の通話音声の周波数特性を変更し、この周波数特性に基づいて通話音声の音質を制御する機能を備えた電話機及び、その電話機の音質制御方法に関する。
【０００２】
【従来の技術】
従来、このような通話音声の音質を制御する機能を備えた電話機としては、次に説明するような電話機が知られている（例えば特許文献１参照）。
【０００３】
この特許文献１の電話機によれば、そのユーザが聞き取りやすい通話音声の周波数特性を予め設定しておき、通話中に、予め設定された周波数特性に基づいて通話音声の内、通話相手先からの受話音声を音質制御するようにしたので、そのユーザにとって聞き取りやすい受話音声を提供することができる。
【０００４】
また、特許文献１の電話機においては、予め設定した周波数特性に基づいて受話音声を音質制御するようにしたが、予め設定した周波数特性だけではなく、通話しながら受話音声の周波数特性を変更して、受話音声の音質を制御するようにした技術も知られている。
【０００５】
このような従来の電話機によれば、通話しながら受話音声の周波数特性を変更可能とし、この周波数特性に基づいて受話音声を音質制御するようにしたので、ユーザは、通話中に最適な音質の受話音声を得ることができる。
【０００６】
【特許文献１】
特開平８−１９１３４０号公報（要約書）
【０００７】
【発明が解決しようとする課題】
しかしながら、上記従来の電話機によれば、通話中に、通話音声の内、受話音声の周波数特性を変更し、この変更した周波数特性に基づいて通話中の受話音声の音質を制御するようにしたが、この通話中に変更した周波数特性を登録することができないため、再度、同一の電話番号の通話相手先と同一周波数特性に関わる受話音声の音質制御を望む場合、その通話中に、再度、周波数特性を変更する必要があり、その操作性がよくない。
【０００８】
本発明は上記点に鑑みてなされたものであり、その目的とするところは、同一電話番号の再度通話時における通話音声の周波数特性変更に関わる操作性を著しく良好にした電話機及び、電話機の音質制御方法を提供することにある。
【０００９】
【課題を解決するための手段】
上記目的を達成するために本発明の電話機は、通話相手先と通話する通話手段と、前記通話相手先との通話音声に関わる周波数特性を変更する周波数特性変更手段と、この周波数特性変更手段にて変更した周波数特性及び、この通話相手先の電話番号を対応付けて記憶管理する周波数特性記憶手段と、前記通話相手先との通信動作を検出する通信動作検出手段と、この通信動作検出手段にて前記通話相手先との通信動作を検出すると、この通話相手先の電話番号に対応した周波数特性を前記周波数特性記憶手段から検索する周波数特性検索手段と、この周波数特性検索手段にて周波数特性を検索すると、この周波数特性に基づいて、前記通話相手先との通話音声を音質制御する音質制御手段とを有するようにした。
【００１０】
従って、本発明の電話機によれば、通話相手先との通話音声に関わる周波数特性及び、その通話相手先の電話番号を対応付けて記憶管理しておき、通話相手先との通信動作を検出すると、通話相手先の電話番号に対応した周波数特性を検索し、この検索した周波数特性に基づいて通話相手先との通話音声の音質を制御するようにしたので、同一電話番号の通話相手先と再度通話する際には、その通話相手先の電話番号に対応した周波数特性に基づいて自動的に通話音声の音質を制御するため、その周波数特性変更に関わる操作を行う必要がなく、その結果、その周波数特性変更に関わる操作性を著しく良好にすることができる。
【００１１】
本発明の電話機は、前記音質制御手段が、前記周波数特性検索手段にて周波数特性を検索すると、この周波数特性に基づいて、前記通話相手先との通話音声の内、この通話相手先からの受話音声を音質制御するようにした。
【００１２】
従って、本発明の電話機によれば、周波数特性検索手段にて周波数特性を検索すると、この周波数特性に基づいて、通話相手先との通話音声の内、この通話相手先からの受話音声を音質制御するようにしたので、同一電話番号の通話相手先と再度通話する際には、その通話相手先との通話音声の内、この通話相手先からの受話音声の音質を制御するため、受話音声の周波数特性変更に関わる操作を行う必要がなく、その結果、その周波数特性変更に関わる操作性を著しく良好にすることができると共に、しかも、最適な受話音声を提供することができる。
【００１３】
本発明の電話機は、前記音質制御手段が、前記周波数特性検索手段にて周波数特性を検索すると、この周波数特性に基づいて、前記通話相手先との通話音声の内、この通話相手先への送話音声を音質制御するようにした。
【００１４】
従って、本発明の電話機によれば、周波数特性検索手段にて周波数特性を検索すると、この周波数特性に基づいて通話相手先との通話音声の内、この通話相手先への送話音声を音質制御するようにしたので、同一電話番号の通話相手先と再度通話する際には、その通話相手先との通話音声の内、この通話相手先への送話音声の音質を制御するため、送話音声の周波数特性変更に関わる操作を行う必要がなく、その結果、その周波数特性変更に関わる操作性を著しく良好にすることができると共に、しかも、通話相手先に最適な通話音声（送話音声）を提供することができる。
【００１５】
本発明の電話機は、前記周波数特性変更手段が、前記通話相手先との通話中に所定操作を検出すると、前記通話相手先との通話音声に関わる周波数特性を変更するようにした。
【００１６】
従って、本発明の電話機によれば、通話相手先との通話中に所定操作を検出すると、通話相手先との通話音声に関わる周波数特性を変更するようにしたので、所定操作、例えば周波数特性変更用のボタン操作で、通話相手先との通話音声に関わる周波数特性を簡単に変更することができる。
【００１７】
本発明の電話機は、前記周波数特性変更手段にて前記通話相手先との通話音声に関わる周波数特性を変更すると、この通話相手先との終話に応じて、この通話相手先の通話音声に関わる周波数特性と、この通話相手先の電話番号とを対応付けて前記周波数特性記憶手段に記憶する周波数特性記憶制御手段を有するようにした。
【００１８】
従って、本発明の電話機によれば、通話相手先との通話音声に関わる周波数特性を変更すると、この通話相手先との終話に応じて、この通話相手先の通話音声に関わる周波数特性と、この通話相手先の電話番号とを対応付けて周波数特性記憶手段に記憶するようにしたので、通話相手先との通話音声に関わる周波数特性を変更した場合、その通話相手先との終話に応じて、その通話相手先の電話番号及び周波数特性を簡単に記憶することができる。
【００１９】
本発明の電話機は、前記周波数特性変更手段が、前記通話相手先からの所定ＤＴＭＦ信号を検出すると、前記通話相手先との通話音声に関わる周波数特性を変更するようにした。
【００２０】
従って、本発明の電話機によれば、通話相手先からの所定ＤＴＭＦ信号を検出すると、通話相手先との通話音声に関わる周波数特性を変更するようにしたので、通話相手先からでもリモート操作で通話相手先との通話音声に関わる周波数特性を簡単に変更することができる。例えば周波数特性を変更操作ができない電話機のユーザにとっては、通話相手先からのリモート操作で周波数特性を変更することができるため、非常に便利である。
【００２１】
本発明の電話機は、前記通信動作検出手段が、前記通話相手先からの着信動作に伴う前記通話相手先の発信者番号通知を前記通話相手先に関わる通信動作とするようにした。
【００２２】
従って、本発明の電話機によれば、通話相手先からの着信動作に伴う通話相手先の発信者番号通知を検出すると、この発信者番号の電話番号に対応した周波数特性を周波数特性記憶手段から検索し、この周波数特性に基づいて通話相手先との通話音声の音質を制御するようにしたので、通話相手先に対応した通話音声の周波数特性を自動的に設定することができる。
【００２３】
本発明の電話機は、前記通信動作検出手段が、前記通話相手先への発信動作を、前記通話相手先に関わる通信動作とするようにした。
【００２４】
従って、本発明の電話機によれば、通話相手先への発信動作を検出すると、この発信相手である通話相手先の電話番号に対応した周波数特性を周波数特性記憶手段から検索し、この周波数特性に基づいて通話相手先との通話音声の音質を制御するようにしたので、通話相手先に対応した通話音声の周波数特性を自動的に設定することができる。
【００２５】
本発明の電話機の音質制御方法は、通話相手先との通話音声に関わる周波数特性を変更すると、この変更した周波数特性と、この通話相手先の電話番号とを対応付けて記憶管理し、前記通話相手先との通信動作を検出すると、この通話相手先の電話番号に対応した周波数特性を記憶管理内容から検索し、この検索した周波数特性に基づいて、前記通話相手先との通話音声を音質制御するようにした。
【００２６】
従って、本発明の電話機の音質制御方法によれば、通話相手先との通話音声に関わる周波数特性及び、その通話相手先の電話番号を対応付けて記憶管理しておき、通話相手先との通信動作を検出すると、通話相手先の電話番号に対応した周波数特性を検索し、この検索した周波数特性に基づいて通話相手先との通話音声の音質を制御するようにしたので、同一電話番号の通話相手先と再度通話する際には、その通話相手先の電話番号に対応した周波数特性に基づいて自動的に通話音声の音質を制御するため、その周波数特性変更に関わる操作を行う必要がなく、その結果、その周波数特性変更に関わる操作性を著しく良好にすることができる。
【００２７】
【発明の実施の形態】
以下、図面に基づいて本発明の電話機における実施の形態を示す電話システムについて説明する。図１は本実施の形態を示す電話システムの親機電話機内部の概略構成を示すブロック図、図２は親機電話機の外観構成を示す説明図である。
【００２８】
この電話システム１は、例えば公衆網２と通信接続する親機電話機１０Ａと、この親機電話機１０Ａと無線接続することで、公衆網２と通信接続する子機電話機１０Ｂとを有している。
【００２９】
図１に示す親機電話機１０Ａは、公衆網２の通話相手先と通話接続し、通話相手先との通話音声を音質制御する親機ＤＳＰ１１Ａと、公衆網２へのダイヤル番号（ＤＴＭＦ信号）を発信するダイヤル発信部１２Ａと、通話相手先との通話に関わる送話及び受話に使用するハンドセット部１３Ａと、音声を収音するマイク部１４Ａと、音声をスピーカ出力するスピーカ部１５Ａと、これらハンドセット部１３Ａ、マイク部１４Ａ及びスピーカ部１５Ａの入出力を切り替える親機切替スイッチ１６Ａと、子機電話機１０Ｂとの無線インタフェースを司る親機無線部１７Ａと、様々な指令を入力する親機操作部１８Ａと、様々な情報を表示する親機ＬＣＤ１９Ａと、様々な情報を記憶する親機記憶部２０Ａと、この親機電話機１０Ａ全体を制御する親機制御部２１Ａとを有している。
【００３０】
親機ＤＳＰ１１Ａは、通話相手先との通話音声の周波数特性を変更することで、これら変更した周波数特性に基づいて、この通話相手先の通話音声の内、通話相手先への送話音声の音質を制御すると共に、通話相手先の通話音声の内、通話相手先からの受話音声の音質を制御する機能を備えたものである。
【００３１】
親機操作部１８Ａは、例えばダイヤル番号等を入力するテンキー３１Ａと、通話中の通話音声の音質を変更する音質制御機能を起動するボイススイッチ３２Ａと、通話音声の内、送話音声の周波数特性の変更又は受話音声の周波数特性の変更を切替選択する受話／送話選択キー３３Ａと、電話帳機能等に使用するための氏名や名称等を入力する情報入力キー３４Ａと、電話帳機能を起動する電話帳キー３５Ａと、発信履歴や着信履歴等の発着信履歴機能を起動する発信着信履歴キー３６Ａと、発信機能を起動する発信キー３７Ａとを有している。尚、この親機操作部１８Ａの内、発信キー３７Ａ、発着信履歴キー３６Ａ、電話帳キー３５Ａ、受話／送話選択キー３３Ａ及びボイススイッチ３２Ａは、図２に示すように親機ＬＣＤ１９Ａの下段に配置されているものとする。
【００３２】
図３は本実施の形態に関わる親機制御部２１Ａ内部の概略構成を示すブロック図である。
【００３３】
図３に示す親機制御部２１Ａは、公衆網２との通信インフェースを司る通信制御部４１と、親機操作部１８Ａのキー操作を監視するキー監視部４２と、親機ＬＣＤ１９Ａを表示制御する表示制御部４３と、親機記憶部２０Ａをメモリ制御するメモリ制御部４４と、親機ＤＳＰ１１Ａを制御する音質制御部４５とを有している。
【００３４】
この親機制御部２１Ａは、大きく分けて３つの機能を有し、通話相手先との通話中に通話音声の内、受話音声及び送話音声の周波数特性を変更する周波数特性変更機能と、この通話の終話に応じて同変更した受話音声及び送話音声の周波数特性を通話相手先の電話番号単位に記憶管理する周波数特性登録機能と、電話着信や電話発信時に、同通話相手先の電話番号に対応する受話音声及び送話音声の周波数特性を検索し、この検索した周波数特性に基づいて受話音声及び送話音声の音質を自動的に制御する周波数特性設定機能とに分けることができる。
【００３５】
親機制御部２１Ａは、キー監視部４２を通じて、通話相手先との通話中に、その通話音声の周波数特性を変更する操作を検出すると、その通話音声の周波数特性を変更する周波数特性変更部４６を有している。尚、この周波数特性変更部４６の周波数特性変更とは、後述する周波数特性パターンの選択に相当するものである。
【００３６】
音質制御部４５は、周波数特性変更部４６にて通話音声の内、受話音声の周波数特性を変更すると、この周波数特性に基づいて通話相手先からの受話音声の音質を制御すべく、親機ＤＳＰ１１Ａを制御する受話側音質制御部４５Ａと、周波数特性変更部４６にて通話音声の内、送話音声の周波数特性を変更すると、この周波数特性に基づいて通話相手先への送話音声の音質を制御すべく、親機ＤＳＰ１１Ａを制御する送話側音質制御部４５Ｂとを有している。
【００３７】
メモリ制御部４４は、周波数特性変更部４６にて通話相手先との通話音声の周波数特性を変更した後、その通話を終話すると、その通話相手先の電話番号に対応付けて周波数特性（受話側周波数特性及び送話側周波数特性）を親機記憶部２０Ａに登録するものとする。
【００３８】
親機記憶部２０Ａは、発信履歴及び着信履歴機能に関わる様々な発着信履歴データを記憶管理する発着信履歴メモリ部５１Ａと、電話帳機能に関わる様々な電話帳データを記憶管理する電話帳メモリ部５２Ａとを有し、例えば発着信履歴データには、発信又は着信履歴日時、通話相手先の電話番号、通話相手先の名称又は氏名、後述する通話相手先の電話番号に対応した通話音声内の受話音声及び送話音声の周波数特性等が記憶管理されているものとする。また、同様に電話帳データには、通話相手先の電話番号、通話相手先の名称又は氏名、通話相手先の電話番号に対応した通話音声内の受話音声及び送話音声の周波数特性等が記憶管理されているものとする。
【００３９】
さらに親機制御部２１Ａは、通話相手先の電話番号を検出する通話相手先電話番号検出部４７と、この通話相手先電話番号検出部４７にて通話相手先の電話番号を検出すると、親機記憶部２０Ａ内の電話帳メモリ部５２Ａ若しくは発着信履歴メモリ部５１Ａ内から、通話相手先の電話番号に対応した周波数特性を検索する周波数特性検索部４８とを有している。
【００４０】
音質制御部４５では、周波数特性検索部４８にて通話相手先の電話番号に対応した周波数特性を検索すると、この周波数特性内の受話側周波数特性及び送話側周波数特性に基づいて、受話音声及び送話音声の音質を制御すべく、親機ＤＳＰ１１Ａを制御するものである。
【００４１】
また、通話相手先電話番号検出部４７は、通話相手先の電話番号を検出するものであるが、例えば公衆網２の発信者番号サービス機能を利用することで、通信制御部４１を通じて電話着信を検出すると、この電話着信に伴う発信者番号を検出する場合と、電話発信時における通話相手先の電話番号を検出する場合とがあげられる。
【００４２】
では、親機電話機１０Ａで変更可能とする通話音声の周波数特性について説明する。図４は親機電話機１０Ａで変更可能とする通話音声の周波数特性パターンの一例を示す説明図である。
【００４３】
親機電話機１０Ａでは、図４に示すように通話音声の低域成分を強調する“低域強調”と、通話音声の高域成分を強調する“高域強調”と、通常の“ノーマル”との３種類の周波数特性パターンを有し、これら周波数特性パターンを切替選択することができるものである。
【００４４】
図５は本実施の形態に関わる電話帳メモリ部５２Ａ内部のテーブル構成の一例を端的に示す説明図である。
【００４５】
図５に示す電話帳メモリ部５２Ａは、通話相手の氏名５２１と、通話相手の電話番号５２２と、通話時における通話相手先への送話音声に関わる周波数特性を示す送話側周波数特性５２３と、通話時における通話相手先からの受話音声に関わる周波数特性を示す受話側周波数特性５２４とを記憶管理しているものとし、例えば氏名５２１“ＢＢＢＢ”は、電話番号５２２が“０４７−３８５−ＸＸＸＸ”、通話時の送話側周波数特性５２３が“高域強調”、通話時の受話側周波数特性５２４が“低域強調”であり、氏名５２１“ＤＤＤＤ”は、電話番号５２２が“０４７−３８２−ＸＸＸＸ”、通話時の送話側周波数特性５２３が“ノーマル”、通話時の受話側周波数特性５２４が“低域強調”ということになる。
【００４６】
次に親機電話機１０Ａと無線接続する子機電話機１０Ｂについて説明する。図７は子機電話機１０Ｂ内部の概略構成を示すブロック図である。尚、図７に示す子機電話機１０Ｂは、図１に示す親機電話機１０Ａとほぼ同一の構成及び動作内容であることから、その重複する動作の説明については省略する。
【００４７】
図７に示す子機電話機１０Ｂは、通話相手先との通話音声の音質を制御する子機ＤＳＰ１１Ｂと、通話相手先との通話の受話に使用するレシーバ部１３Ｂと、通話相手先との通話の送話に使用するマイク部１４Ｂと、音声をスピーカ出力するスピーカ部１５Ｂと、これらレシーバ部１３Ｂ、マイク部１４Ｂ及びスピーカ部１５Ｂの入出力を切り替える子機切替スイッチ１６Ｂと、親機電話機１０Ａとの無線インタフェースを司る子機無線部１７Ｂと、様々な指令を入力する子機操作部１８Ｂと、様々な情報を表示する子機ＬＣＤ１９Ｂと、様々な情報を記憶する子機記憶部２０Ｂと、この子機電話機１０Ｂ全体を制御する子機側制御部２１Ｂとを有している。
【００４８】
また、子機操作部１８Ｂは、テンキー３１Ｂ、ボイススイッチ３２Ｂ、情報入力キー３４Ｂ、受話／送話選択キー３３Ｂ、電話帳キー３５Ｂ、発着信履歴キー３６Ｂ及び発信キー３７Ｂを有している。
【００４９】
尚、請求項記載の電話機が親機電話機１０Ａ（子機電話機１０Ｂ）、通話手段はハンドセット部１３Ａ、スピーカ部１４Ａ及びスピーカ部１５Ａ（レシーバ部１３Ｂ、マイク部１４Ｂ及びスピーカ部１５Ｂ）、周波数特性変更手段は親機制御部２１Ａ内の周波数特性変更部４６、周波数特性記憶手段は親機記憶部２０Ａ（子機記憶部２０Ｂ）、通信動作検出手段は親機制御部２１Ａ内の通信制御部４１、キー監視部４２及び通話相手先電話番号検出部４７（子機制御部２１Ｂ）、周波数特性検索手段は親機制御部２１Ａ内の周波数特性検索部４８（子機制御部２１Ｂ）、音質制御手段は親機制御部２１Ａ内の音質制御部４５、受話側音質制御部４５Ａ、送話側音質制御部４５Ｂ（子機制御部２１Ｂ）及び親機ＤＳＰ１１Ａ（子機ＤＳＰ１１Ｂ）、周波数特性記憶制御手段は親機制御部２１Ａ内のメモリ制御部４４（子機制御部２１Ｂ）に相当するものである。
【００５０】
次に本実施の形態を示す電話システム１の動作について説明する。図８は本実施の形態に関わる親機電話機１０Ａの周波数特性設定登録処理に関わる親機制御部２１Ａの処理動作を示すフロー図である。
【００５１】
図８に示す周波数特性設定登録処理とは、通話相手先との通話中に、通話音声の受話音声及び送話音声の周波数特性を変更可能とし、この変更した周波数特性に基づいて受話音声及び送話音声の音質を制御すると共に、その通話の終話に応じて、通話相手先の電話番号と対応付けて受話音声及び送話音声の周波数特性を記憶管理（登録）する処理である。
【００５２】
図８に示す親機制御部２１Ａは、キー監視部４２を通じて通話相手先との通話中にボイススイッチ３１Ａを押下したか否かを判定する（ステップＳ１１）。
【００５３】
親機制御部２１Ａは、キー監視部４２を通じて、通話中にボイススイッチ３１Ａを押下したのであれば、この通話相手先との通話音声の周波数特性を変更すべく、図９に示す周波数特性変更処理に移行する。尚、周波数特性変更処理とは、通話音声の受話音声及び／又は送話音声の周波数特性を変更し、この変更した周波数特性に基づいて受話音声及び送話音声の音質を制御する処理である。
【００５４】
親機制御部２１Ａは、図９に示す周波数特性変更処理後、通信制御部４１を通じて、この通話相手先との通話が終話したか否かを判定する（ステップＳ１３）。
【００５５】
メモリ制御部４４は、通話相手先との通話が終話したのであれば、周波数特性変更処理にて変更した周波数特性を、通話相手先の電話番号に対応付けて発着信履歴メモリ部５１Ａに登録する（ステップＳ１４）。
【００５６】
さらにメモリ制御部４４は、電話帳キー３５Ａの押下監視時間を計時する電話帳受付登録タイマをスタートする（ステップＳ１５）。
【００５７】
親機制御部２１Ａは、キー監視部４２を通じて電話帳キー３５Ａが押下されたか否かを判定する（ステップＳ１６）。
【００５８】
親機制御部２１Ａの表示制御部４３は、電話帳キー３５Ａが押下されたのであれば、メモリ制御部４４を通じて電話帳メモリ部５２Ａ内から登録済みの氏名を親機ＬＣＤ１９Ａに表示し、これら電話帳メモリ部５２Ａに登録済みの氏名が登録対象の氏名を指定する操作をユーザに促す（ステップＳ１７）。
【００５９】
親機制御部２１Ａは、キー監視部４２を通じて電話帳メモリ部５２Ａに登録済みの氏名から登録対象の氏名の指定が完了したか否かを判定する（ステップＳ１８）。
【００６０】
親機制御部２１Ａは、登録対象の氏名の指定が完了すると、キー監視部４２を通じてボイススイッチ３２Ａを押下したか否かを判定する（ステップＳ１９）。
【００６１】
メモリ制御部４４は、ボイススイッチ３２Ａを押下したのであれば、ステップＳ１２の周波数特性変更処理にて変更した周波数特性（受話側周波数特性及び送話側周波数特性）を、この登録対象の氏名に対応付けて電話帳メモリ部５２Ａに登録することで（ステップＳ２０）、この処理動作を終了する。
【００６２】
親機制御部２１Ａは、ステップＳ１１にて通話相手先との通話中にボイススイッチ３２Ａを押下したのでなければ、図９に示す周波数特性変更処理に移行することなく、通話相手先との通話が終話したか否かを監視すべく、ステップＳ１３に移行する。
【００６３】
さらに、親機制御部２１Ａの通信制御部４１は、ステップＳ１３にて通話相手先との通話が終話したのでなければ、周波数特性変更起動用ＤＴＭＦ信号を受信したか否かを判定する（ステップＳ２２）。尚、周波数特性変更起動用ＤＴＭＦ信号とは、通話相手先からの特番ダイヤル番号、例えば“５＃”である。
【００６４】
親機制御部２１Ａは、ステップＳ２２にて周波数特性変更起動用ＤＴＭＦ信号を受信すると、図１０に示す外部ＤＴＭＦ信号周波数特性変更処理を起動し（ステップＳ２３）、この外部ＤＴＭＦ信号周波数特性変更処理を終了後、ボイススイッチ３２Ａの押下を監視すべく、ステップＳ１１に移行する。尚、外部ＤＴＭＦ信号周波数特性変更処理とは、通話相手先からの遠隔操作で親機電話機の送話音声及び受話音声の周波数特性を変更し、この変更した周波数特性に基づいて受話音声及び送話音声の音質を制御する処理である。
【００６５】
また、親機制御部２１Ａは、ステップＳ２２にて周波数特性変更起動用ＤＴＭＦ信号を受信したのでなければ、ボイススイッチ３２Ａの押下を監視すべく、ステップＳ１１に移行する。
【００６６】
また、親機制御部２１Ａは、ステップＳ１６にて電話帳キー３５Ａを押下したのでなければ、ステップＳ１５にてスタートした電話帳受付登録タイマがタイムアップしたか否かを判定する（ステップＳ２１）。
【００６７】
親機制御部２１Ａは、電話帳受付登録タイマがタイムアップしたのでなければ、電話帳キー３５Ａを押下したか否かを監視すべく、ステップＳ１６に移行する。
【００６８】
また、親機制御部２１Ａは、ステップＳ２１にて電話帳受付登録タイマがタイムアップしたのであれば、ステップＳ１２にて変更した周波数特性を電話帳メモリ部５２Ａに登録することなく、この処理動作を終了する。
【００６９】
また、親機制御部２１Ａは、ステップＳ１８にて登録対象氏名の指定を完了したのでなければ、又は、ステップＳ１９にてボイススイッチ３２Ａを押下したのでなければ、登録対象氏名の指定を促すべく、ステップＳ１７に移行する。
【００７０】
図８に示す周波数特性設定登録処理によれば、通話相手先との通話中に通話音声の周波数特性を変更すると、その通話の終話に応じて、通話相手先の電話番号と対応付けて、通話音声（受話音声及び送話音声）の周波数特性（受話側周波数特性及び送話側周波数特性）を発着信履歴メモリ部５１Ａ及び／又は電話帳メモリ部５２Ａに登録するようにしたので、簡単な操作で、電話番号単位に通話音声の周波数特性を記憶管理することができる。
【００７１】
次に図８に示すステップＳ１２の周波数特性変更処理について説明する。図９は周波数特性変更処理に関わる親機制御部２１Ａの処理動作を示すフロー図である。
【００７２】
図９において親機制御部２１Ａの表示制御部４３は、図８に示すステップＳ１１にて通話中にボイススイッチ３２Ａを押下すると、その周波数特性変更処理の起動を開始し、図６に示すように現在設定中の受話側周波数特性を親機ＬＣＤ１９Ａに表示する（ステップＳ３１）。尚、通話音声の周波数特性が記憶管理されていなくても、デフォルトで“ノーマル”の周波数特性パターンが設定されている。また、ユーザは、ステップＳ３１の親機ＬＣＤ１９Ａの表示内容に基づいて、現在、受話側周波数特性が変更可能であることを視覚的に認識することができる。
【００７３】
親機制御部２１Ａは、キー監視部４２を通じて受話／送話選択キー３３Ａを押下したか否かを判定する（ステップＳ３２）。
【００７４】
親機制御部２１Ａは、受話／送話選択キー３３Ａを押下したのでなければ、ボイススイッチ３２Ａを押下したか否かを判定する（ステップＳ３３）。
【００７５】
親機制御部２１Ａの周波数特性変更部４６は、ボイススイッチ３２Ａを押下したのであれば、現在の受話側周波数特性を設定変更する（ステップＳ３４）。尚、周波数特性変更部４６は、“ノーマル”→“高域強調”→“低域強調”→“ノーマル”→“高域強調”→…といった所定順序方向で周波数特性パターンを設定変更するものである。
【００７６】
親機制御部２１Ａの表示制御部４３は、受話側周波数特性を設定変更すると、その設定変更した受話側周波数特性を親機ＬＣＤ１９Ａに表示する（ステップＳ３５）。尚、ユーザは、親機ＬＣＤ１９Ａの表示内容に基づいて、現在設定中の受話側周波数特性を視覚的に認識することができる。
【００７７】
さらに親機制御部２１Ａは、リターン動作を検出したか否かを判定する（ステップＳ３６）。尚、リターン動作とは、この周波数特性変更処理を抜ける動作であり、例えば通話の終話動作や周波数特性変更操作の終了動作等があげられる。
【００７８】
親機制御部２１Ａは、ステップＳ３５にてリターン動作を検出したのであれば、この周波数特性変更処理を抜け、図８に示すステップＳ１３に移行する。
【００７９】
親機制御部２１Ａは、ステップＳ３５にてリターン動作を検出したのでなければ、受話／送話選択キー３３Ａの押下を監視すべく、ステップＳ３２に移行する。
【００８０】
さらに、親機制御部２１Ａは、ステップＳ３３にてボイススイッチ３２Ａを押下したのでなければ、リターン動作を監視すべく、ステップＳ３６に移行する。尚、ステップＳ３３ではボイススイッチ３２Ａを押下する度に所定順序方向で受話側周波数特性の周波数特性パターンを設定変更するものである。
【００８１】
親機制御部２１Ａの表示制御部４３は、ステップＳ３２にて受話／送話選択キー３３Ａが押下されたのであれば、現在設定中の送話側周波数特性を親機ＬＣＤ１９Ａに表示する（ステップＳ３７）。尚、ユーザは、親機ＬＣＤ１９Ａの表示内容に基づいて、送話側周波数特性が変更可能であることを視覚的に認識することができる。
【００８２】
親機制御部２１Ａは、キー監視部４２を通じて受話／送話選択キー３３Ａを押下したか否かを判定する（ステップＳ３８）。
【００８３】
親機制御部２１Ａは、受話／送話選択キー３３Ａを押下したのであれば、受話側周波数特性を親機ＬＣＤ１９Ａに表示すべく、ステップＳ３１に移行する。
【００８４】
また、親機制御部２１Ａは、ステップＳ３８にて受話／送話選択キー３３Ａを押下したのでなければ、キー監視部４２を通じてボイススイッチ３２Ａを押下したか否かを判定する（ステップＳ３９）。
【００８５】
親機制御部２１Ａの周波数特性変更部４６は、ボイススイッチ３２Ａを押下したのであれば、現在の送話側周波数特性を所定順序方向に設定変更する（ステップＳ４０）。
【００８６】
親機制御部２１Ａの表示制御部４３は、送話側周波数特性を設定変更すると、その設定変更した送話側周波数特性を親機ＬＣＤ１９Ａに表示する（ステップＳ４１）。尚、ユーザは、親機ＬＣＤ１９Ａの表示内容に基づいて、現在設定中の送話側周波数特性を視覚的に認識することができる。
【００８７】
さらに親機制御部２１Ａは、リターン動作を検出したか否かを判定する（ステップＳ４２）。親機制御部２１Ａは、ステップＳ４２にてリターン動作を検出したのであれば、この周波数特性変更処理を抜け、図９に示すステップＳ１３に移行する。
【００８８】
親機制御部２１Ａは、ステップＳ４２にてリターン動作を検出したのでなければ、受話／送話選択キー３３Ａを押下したか否かを監視すべく、ステップＳ３８に移行する。
【００８９】
さらに、親機制御部２１Ａは、ステップＳ３９にてボイススイッチ３２Ａを押下したのでなければ、リターン動作を監視すべく、ステップＳ４２に移行する。尚、ステップＳ３９ではボイススイッチ３２Ａを押下する度に所定順序方向で送話側周波数特性の周波数特性パターンを設定変更するものである。
【００９０】
図９に示す周波数特性変更処理によれば、通話相手先との通話中に、この通話相手先との通話音声の内、受話音声及び送話音声の周波数特性を夫々変更可能とし、この変更した受話音声及び送話音声の周波数特性に基づいて送話音声及び受話音声の音質を制御することができるようにしたので、ユーザは、通話しながら、受話音声の周波数特性はもちろんのこと、送話音声の周波数特性をも簡単な操作で変更することができる。
【００９１】
尚、図９に示す周波数特性変更処理においては、親機電話機１０Ａの親機操作部１８Ａを通じて通話相手先との通話音声の内、受話音声及び送話音声の周波数特性を変更可能としたが、前述したように、例えば通話相手先からのリモート操作、例えばＤＴＭＦ信号を利用することで通話相手先との通話音声の内、受話音声及び送話音声の周波数特性を変更するようにしても良く、この場合の外部ＤＴＭＦ信号周波数特性変更処理（図８に示すステップＳ２３）について説明する。図１０は外部ＤＴＭＦ信号周波数特性変更処理に関わる親機制御部２１Ａ内部の処理動作を示すフロー図である。
【００９２】
図１０に示す外部ＤＴＭＦ信号周波数特性変更処理は、図８に示すステップＳ２２にて周波数特性変更起動用ＤＴＭＦ信号（ダイヤル番号“＃５”）を通話相手先から受信されたと判定されると、その起動を開始するものである。
【００９３】
図１０において親機制御部２１Ａの通信制御部４１は、外部ＤＴＭＦ信号周波数特性変更処理を起動すると、通話相手先から受話側周波数特性変更用ＤＴＭＦ信号を受信したか否かを判定する（ステップＳ５１）。尚、この受話側周波数特性変更用ＤＴＭＦ信号とは、受話側周波数特性の変更を起動するＤＴＭＦ信号、例えばダイヤル番号“＃６”である。
【００９４】
周波数特性変更部４６は、受話側周波数特性変更用ＤＴＭＦ信号を受信したのであれば、現在の受話側周波数特性を所定順序方向に設定変更する（ステップＳ５２）。
【００９５】
表示制御部４３は、受話側周波数特性を設定変更すると、その設定変更した受話側周波数特性を親機ＬＣＤ１９Ａに表示する（ステップＳ５３）。尚、ユーザは、親機ＬＣＤ１９Ａの表示内容に基づいて、現在設定中の受話側周波数特性を視覚的に認識することができる。
【００９６】
さらに通信制御部４１は、通話相手先からリターン検出用ＤＴＭＦ信号を受信したか否かを判定する（ステップＳ５４）。尚、リターン検出用ＤＴＭＦ信号とは、外部ＤＴＭＦ信号周波数特性変更処理を終了するＤＴＭＦ信号、例えばダイヤル番号“＃８”である。
【００９７】
親機制御部２１Ａは、リターン検出用ＤＴＭＦ信号を受信したのであれば、この外部ＤＴＭＦ信号周波数特性変更処理を終了することで、図８に示すステップＳ１１に移行する。
【００９８】
また、親機制御部２１Ａは、ステップＳ５４にてリターン検出用ＤＴＭＦ信号を受信したのでなければ、更なる受話側周波数特性変更用ＤＴＭＦ信号の受信を監視すべく、ステップＳ５１に移行する。
【００９９】
つまり、親機電話機１０Ａの親機制御部２１Ａは、通話相手先からの受話側周波数特性変更用ＤＴＭＦ信号を受信する度に、所定順序方向に受話側周波数特性の周波数特性パターンを順次変更するものである。
【０１００】
また、通信制御部４１は、ステップＳ５１にて受話側周波数特性変更用ＤＴＭＦ信号を受信したのでなければ、送話側周波数特性変更用ＤＴＭＦ信号を受信したか否かを判定する（ステップＳ５５）。尚、送話側周波数特性変更用ＤＴＭＦ信号は、送話側周波数特性の変更を起動するＤＴＭＦ信号、例えばダイヤル番号“＃７”である。
【０１０１】
周波数特性変更部４６は、ステップＳ５５にて送話側周波数特性変更用ＤＴＭＦ信号を受信したのであれば、現在の送話側周波数特性を所定順序方向に設定変更する（ステップＳ５６）。
【０１０２】
表示制御部４３は、送話側周波数特性を設定変更すると、その設定変更した送話側周波数特性を親機ＬＣＤ１９Ａに表示する（ステップＳ５７）。尚、ユーザは、親機ＬＣＤ１９Ａの表示内容に基づいて、現在設定中の送話側周波数特性を視覚的に認識することができる。
【０１０３】
さらに通信制御部４１は、通話相手先からリターン検出用ＤＴＭＦ信号を受信したか否かを判定する（ステップＳ５８）。
【０１０４】
親機制御部２１Ａは、リターン検出用ＤＴＭＦ信号を受信したのであれば、この外部ＤＴＭＦ信号周波数特性変更処理を終了することで、図８に示すステップＳ１１に移行する。
【０１０５】
また、通信制御部４１は、ステップＳ５８にてリターン検出用ＤＴＭＦ信号を受信したのでなければ、更なる送話側周波数特性変更用ＤＴＭＦ信号の受信を監視すべく、ステップＳ５５に移行する。
【０１０６】
つまり、親機電話機１０Ａの親機制御部２１Ａは、通話相手先からの送話側周波数特性変更用ＤＴＭＦ信号を受信する度に所定順序方向に受話側周波数特性の周波数特性パターンを順次変更するものである。
【０１０７】
図１０に示す外部ＤＴＭＦ信号周波数特性処理によれば、通話相手先からのＤＴＭＦ信号を利用して遠隔操作で、通話相手先との通話音声の内、親機電話機１０Ａの受話音声及び送話音声双方の周波数特性を変更し、これら受話音声及び送話音声の音質を制御することができる。
【０１０８】
次に図８に示す周波数特性設定登録処理にて通話相手先との通話音声の周波数特性を発着信履歴メモリ部５１Ａや電話帳メモリ部５２Ａに登録した後の親機電話機１０Ａによる同通話相手先への発信動作について説明する。図１１は発信用音質設定処理に関わる親機制御部２１Ａの処理動作を示すフロー図である。
【０１０９】
図１１に示す発信用音質設定処理とは、発着信履歴メモリ部５１Ａ又は電話帳メモリ部５２Ａに登録済みの電話番号に対して発信動作を実行する際に、この電話番号に対応した通話音声（受話音声及び送話音声）の周波数特性を読み出し、この読み出した周波数特性に基づいて通話音声（受話音声及び送話音声）の音質を自動的に設定する処理である。
【０１１０】
図１１に示す親機制御部２１Ａは、キー監視部４２を通じて電話帳キー３５Ａによる通話相手先への指定操作を検出したか否かを判定する（ステップＳ６１）。
【０１１１】
親機制御部２１Ａは、電話帳キー３５Ａによる通話相手先への指定操作を検出したのであれば、その指定操作を完了したか否かを判定する（ステップＳ６２）。
【０１１２】
親機制御部２１Ａは、指定操作を完了したのであれば、キー監視部４２を通じて発信キー３７Ａを押下したか否かを判定する（ステップＳ６３）。
【０１１３】
親機制御部２１Ａのメモリ制御部４４は、発信キー３７Ａを押下したのであれば、周波数特性検索部４８を通じて、この指定された氏名の電話番号及び、通話音声の周波数特性、すなわち受話側周波数特性及び送話側周波数特性を電話帳メモリ部５２Ａから読み出す（ステップＳ６４）。
【０１１４】
親機制御部２１Ａの音質制御部４５の受話側音質制御部４５Ａは、通話音声の受話側周波数特性に基づいて受話音声の音質を変更するように親機ＤＳＰ１１Ａを制御すると共に、音質制御部４５の送話側音質制御部４５Ｂは、通話音声の送話側周波数特性に基づいて送話音声の音質を変更するように親機ＤＳＰ１１Ａを制御する（ステップＳ６５）。つまり、親機電話機１０Ａでは、通話相手先に対応した周波数特性の受話音声及び送話音声の音質が設定されたことになる。
【０１１５】
親機制御部２１Ａの通信制御部４１は、ステップＳ６４にて読み出した通話相手先の電話番号に基づいて発信動作を実行することで（ステップＳ６６）、この処理動作を終了する。
【０１１６】
また、親機制御部２１Ａは、ステップＳ６１にてキー監視部４２を通じて電話帳キー３５Ａによる指定操作を検出したのでなければ、発着信履歴キー３６Ａによる指定操作を検出したか否かを判定する（ステップＳ６７）。
【０１１７】
親機制御部２１Ａは、発着信履歴キー３６Ａによる通話相手先への指定操作を検出したのであれば、その指定操作が完了したか否かを判定する（ステップＳ６８）。
【０１１８】
親機制御部２１Ａは、指定操作が完了したのであれば、キー監視部４２を通じて発信キー３７Ａを押下したか否かを判定する（ステップＳ６９）。
【０１１９】
メモリ制御部４４は、発信キー３７Ａを押下したのであれば、周波数特性検索部４８を通じて、この指定された氏名の電話番号及び、通話音声の受話側周波数特性及び送話側周波数特性を発着信履歴メモリ部５１Ａから読み出し（ステップＳ７０）、これら受話側周波数特性及び送話側周波数特性に基づいて親機ＤＳＰ１１Ａを制御すべく、ステップＳ６５に移行する。
【０１２０】
親機制御部２１Ａは、ステップＳ６３又はステップＳ６９にて発信キー３７Ａを押下したのでなければ、この発信用音質設定処理の処理動作を終了する。
【０１２１】
図１１に示す発信用音質設定処理によれば、電話帳メモリ部５２Ａや発着信履歴メモリ部５１Ａに登録済みの電話番号に対する発信動作を実行する際には、この電話番号に対応した受話側周波数特性及び送話側周波数特性を読み出し、この読み出した受話側周波数特性及び送話側周波数特性に基づいて送話音声及び受話音声の音質を設定するようにしたので、ユーザは、電話帳機能や発着信履歴機能による電話発信に応じて、通話相手先の送話音声及び受話音声の音質を自動的に設定することができる。
【０１２２】
次に図８に示す周波数特性設定登録処理にて通話相手先との通話音声の周波数特性を発着信履歴メモリ部５１Ａや電話帳メモリ部５２Ａに登録した後の親機電話機１０Ａによる通話相手先からの着信動作について説明する。図１２は着信用音質設定処理に関わる親機制御部２１Ａの処理動作を示すフロー図である。
【０１２３】
図１２に示す着信用音質設定処理とは、発着信履歴メモリ部５１Ａや電話帳メモリ部５２Ａに登録済みの通話相手先からの着信動作を検出すると、この通話相手先の電話番号に対応した通話音声の周波数特性を読み出し、この読み出した周波数特性に基づいて通話音声の音質を自動的に設定する処理である。
【０１２４】
図１２に示す親機制御部２１Ａの通信制御部４１は、公衆網２を通じて電話着信を検出したか否かを判定する（ステップＳ８１）。
【０１２５】
通信制御部４１は、ステップＳ８１にて電話着信を検出したのであれば、この電話着信に対応した通話相手先の発信者番号を検出したか否かを判定する（ステップＳ８２）。
【０１２６】
親機制御部２１Ａのメモリ制御部４４は、通話相手先の発信者番号を検出したのであれば、この発信者番号に対応した電話番号を電話帳メモリ部５２Ａから検索できるか否かを判定する（ステップＳ８３）。
【０１２７】
メモリ制御部４４は、発信者番号に対応する電話番号を電話帳メモリ部５２Ａから検索できたのであれば、周波数特性検索部４８を通じて、この電話帳メモリ部５２Ａから電話番号に対応した通話音声の周波数特性、例えば受話側周波数特性及び送話側周波数特性を読み出す（ステップＳ８４）。
【０１２８】
親機制御部２１Ａの音質制御部４５の受話側音質制御部４５Ａは、受話側周波数特性に基づいて受話音声の音質を変更するように親機ＤＳＰ１１Ａを制御すると共に、音制御部の送話側音質制御部４５Ｂは、送話側周波数特性に基づいて送話音声の音質を変更するように親機ＤＳＰ１１Ａを制御することで（ステップＳ８５）、この着信用音質設定処理の処理動作を終了する。
【０１２９】
通信制御部４１は、ステップＳ８１にて電話着信を検出したのでなければ、又はステップＳ８２にて発信者番号を検出したのでなければ、又はステップＳ８３にて発信者番号に対応した電話番号を電話帳メモリ部５２Ａから検索することができなければ、この着信用音質設定処理の処理動作を終了する。
【０１３０】
図１２に示す着信用音質設定処理によれば、電話帳メモリ部５２Ａに登録済みの通話相手先からの着信を検出すると、この着信に関わる発信者番号を検出し、この発信者番号に対応した受話側周波数特性及び送話側周波数特性を電話帳メモリ部５２Ａから読み出し、この受話側周波数特性及び送話側周波数特性に基づいて受話音声及び送話音声の音質を自動的に設定するようにしたので、ユーザは、電話着信を検出すると、着信相手に対する送話音声及び受話音声の音質を自動的に設定することができる。
【０１３１】
尚、図１２に示す着信用音質設定処理によれば、電話帳メモリ部５２Ａに登録済みの通話相手先からの電話着信を検出すると、この電話帳メモリ部５２Ａに登録済みの通話相手先の電話番号に対応した周波数特性を設定するようにしたが、発着信履歴メモリ部５１Ａに登録済みの通話相手先からの電話着信を検出したとしても、この発着信履歴メモリ部５１Ａに登録済みの通話相手先の電話番号に対応した周波数特性を設定するようにして良いことは言うまでもない。
【０１３２】
本実施の形態によれば、通話相手先との通話音声に関わる周波数特性及び、その通話相手先の電話番号を発着信履歴メモリ部５１Ａや電話帳メモリ部５２Ａに対応付けて記憶管理しておき、電話着信や電話発信を検出すると、通話相手先の電話番号に対応した周波数特性を検索し、この検索した周波数特性に基づいて通話相手先との通話音声の音質を制御するようにしたので、同一電話番号の通話相手先と再度通話する際には、その通話相手先の電話番号に対応した周波数特性に基づいて自動的に通話音声の音質を制御するため、その周波数特性変更に関わる操作を行う必要がなく、その結果、その周波数特性変更に関わる操作性を著しく良好にすることができる。
【０１３３】
さらに本実施の形態によれば、通話相手先の電話番号に対応した周波数特性を検索すると、この周波数特性に基づいて通話相手先との通話音声の内、この通話相手先からの受話音声を音質制御するようにしたので、同一電話番号の通話相手先と再度通話する際には、その通話相手先との通話音声の内、この通話相手先からの受話音声の音質を制御するため、受話音声の周波数特性変更に関わる操作を行う必要がなく、その結果、その周波数特性変更に関わる操作性を著しく良好にすることができると共に、しかも、最適な受話音声を提供することができる。
【０１３４】
さらに、本実施の形態によれば、通話相手先の電話番号に対応した周波数特性を検索すると、この周波数特性に基づいて通話相手先との通話音声の内、この通話相手先への送話音声を音質制御するようにしたので、同一電話番号の通話相手先と再度通話する際には、その通話相手先との通話音声の内、この通話相手先への送話音声の音質を制御するため、送話音声の周波数特性変更に関わる操作を行う必要がなく、その結果、その周波数特性変更に関わる操作性を著しく良好にすることができると共に、しかも、通話相手先に最適な通話音声（送話音声）を提供することができる。
【０１３５】
本実施の形態によれば、通話相手先との通話中に周波数特性変更用のボタン操作を検出すると、通話相手先との通話音声に関わる周波数特性を変更するようにしたので、通話相手先との通話音声に関わる周波数特性を簡単に変更することができる。
【０１３６】
本実施の形態によれば、通話相手先との通話音声に関わる周波数特性を変更すると、この通話相手先との終話に応じて、この通話相手先の通話音声に関わる周波数特性（受話側周波数特性及び送話側周波数特性）と、この通話相手先の電話番号とを対応付けて発着信履歴メモリ部５１Ａや電話帳メモリ部５２Ａに登録するようにしたので、通話相手先との通話音声に関わる周波数特性を変更した場合、その通話相手先との終話に応じて、その通話相手先の電話番号及び周波数特性を簡単に登録することができる。
【０１３７】
本実施の形態によれば、通話相手先からの周波数特性変更用のＤＴＭＦ信号を検出すると、通話相手先との通話音声に関わる周波数特性（受話側周波数特性及び送話側周波数特性）を変更するようにしたので、通話相手先からでもリモート操作で通話相手先との通話音声に関わる周波数特性を簡単に変更することができる。例えば周波数特性を変更操作ができない電話機のユーザにとっては、通話相手先からのリモート操作で周波数特性を変更することができるため、非常に便利である。
【０１３８】
さらに、本実施の形態によれば、通話相手先からの着信動作に伴う通話相手先の発信者番号を検出すると、この発信者番号の電話番号に対応した周波数特性を発着信履歴メモリ部５１Ａや電話帳メモリ部５２Ａから検索し、この周波数特性に基づいて通話相手先との通話音声（受話音声及び送話音声）の音質を制御するようにしたので、通話相手先に対応した通話音声の周波数特性を自動的に設定することができる。
【０１３９】
本実施の形態によれば、通話相手先への発信動作を検出すると、この発信相手である通話相手先の電話番号に対応した周波数特性を発着信履歴メモリ部５１Ａや電話帳メモリ部５２Ａから検索し、この周波数特性に基づいて通話相手先との通話音声（受話音声及び送話音声）の音質を制御するようにしたので、通話相手先に対応した通話音声の周波数特性（受話側周波数特性及び送話側周波数特性）を自動的に設定することができる。
【０１４０】
尚、上記実施の形態においては、図１に示す親機電話機１０Ａを例にあげて説明してきたが、図７に示す子機電話機１０Ｂについても、通話相手先との通話中に、その通話音声の受話音声及び送話音声の周波数特性を変更可能とする周波数特性変更機能や、この通話相手先の電話番号及び、その受話音声及び送話音声の周波数特性を対応付けて子機記憶部２０Ｂに記憶管理する周波数特性登録機能や、電話着信や電話発信を検出すると、この通話相手先に対応した受話音声及び送話音声の周波数特性を自動的に設定する周波数特性設定機能を備えていることは言うまでもなく、この子機電話機１０Ｂについても、前述した効果と同様の効果が得られることは言うまでもない。
【０１４１】
上記実施の形態においては、通話音声の音質をソフト的に変更する機能として親機ＤＳＰ１１Ａや子機ＤＳＰ１１Ｂを例にあげて説明したが、図１３に示すように、フィルタ特性が夫々異なる複数のフィルタ７１Ａ及び、これらフィルタ７１Ａを切替選択するフィルタ選択部７２Ａとを有し、このフィルタ選択部７２Ａにて選択したフィルタ７１Ａで通話音声の音質を変更するようにした音質変更部７０を設けるようにしても、同様の効果が得られることは言うまでもない。
【０１４２】
また、上記実施の形態においては、受話音声及び送話音声の周波数特性パターンを“高域強調”、“ノーマル”及び“低域強調”の三段階としたが、この周波数特性の段階を増やすことで、きめ細かい周波数特性を設定することができることは言うまでもない。また、周波数特性パターンを選択設定するというのではなく、アナログ的に所望の周波数特性を変更できるようにしても良く、この場合には、より一層、きめ細かい周波数特性を設定することができることは言うまでもない。
【０１４３】
【発明の効果】
上記のように構成された本発明の電話機によれば、通話相手先との通話音声に関わる周波数特性及び、その通話相手先の電話番号を対応付けて記憶管理しておき、通話相手先との通信動作を検出すると、通話相手先の電話番号に対応した周波数特性を検索し、この検索した周波数特性に基づいて通話相手先との通話音声の音質を制御するようにしたので、同一電話番号の通話相手先と再度通話する際には、その通話相手先の電話番号に対応した周波数特性に基づいて自動的に通話音声の音質を制御するため、その周波数特性変更に関わる操作を行う必要がなく、その結果、その周波数特性変更に関わる操作性を著しく良好にすることができる。
【０１４４】
本発明の電話機によれば、周波数特性検索手段にて周波数特性を検索すると、この周波数特性に基づいて、通話相手先との通話音声の内、この通話相手先からの受話音声を音質制御するようにしたので、同一電話番号の通話相手先と再度通話する際には、その通話相手先との通話音声の内、この通話相手先からの受話音声の音質を制御するため、受話音声の周波数特性変更に関わる操作を行う必要がなく、その結果、その周波数特性変更に関わる操作性を著しく良好にすることができると共に、しかも、最適な受話音声を提供することができる。
【０１４５】
本発明の電話機によれば、周波数特性検索手段にて周波数特性を検索すると、この周波数特性に基づいて通話相手先との通話音声の内、この通話相手先への送話音声を音質制御するようにしたので、同一電話番号の通話相手先と再度通話する際には、その通話相手先との通話音声の内、この通話相手先への送話音声の音質を制御するため、送話音声の周波数特性変更に関わる操作を行う必要がなく、その結果、その周波数特性変更に関わる操作性を著しく良好にすることができると共に、しかも、通話相手先に最適な通話音声（送話音声）を提供することができる。
【０１４６】
本発明の電話機によれば、通話相手先との通話中に所定操作を検出すると、通話相手先との通話音声に関わる周波数特性を変更するようにしたので、所定操作、例えば周波数特性変更用のボタン操作で、通話相手先との通話音声に関わる周波数特性を簡単に変更することができる。
【０１４７】
本発明の電話機によれば、通話相手先との通話音声に関わる周波数特性を変更すると、この通話相手先との終話に応じて、この通話相手先の通話音声に関わる周波数特性と、この通話相手先の電話番号とを対応付けて周波数特性記憶手段に記憶するようにしたので、通話相手先との通話音声に関わる周波数特性を変更した場合、その通話相手先との終話に応じて、その通話相手先の電話番号及び周波数特性を簡単に記憶することができる。
【０１４８】
本発明の電話機によれば、通話相手先からの所定ＤＴＭＦ信号を検出すると、通話相手先との通話音声に関わる周波数特性を変更するようにしたので、通話相手先からでもリモート操作で通話相手先との通話音声に関わる周波数特性を簡単に変更することができる。例えば周波数特性を変更操作ができない電話機のユーザにとっては、通話相手先からのリモート操作で周波数特性を変更することができるため、非常に便利である。
【０１４９】
本発明の電話機によれば、通話相手先からの着信動作に伴う通話相手先の発信者番号通知を検出すると、この発信者番号の電話番号に対応した周波数特性を周波数特性記憶手段から検索し、この周波数特性に基づいて通話相手先との通話音声の音質を制御するようにしたので、通話相手先に対応した通話音声の周波数特性を自動的に設定することができる。
【０１５０】
本発明の電話機によれば、通話相手先への発信動作を検出すると、この発信相手である通話相手先の電話番号に対応した周波数特性を周波数特性記憶手段から検索し、この周波数特性に基づいて通話相手先との通話音声の音質を制御するようにしたので、通話相手先に対応した通話音声の周波数特性を自動的に設定することができる。
【０１５１】
本発明の電話機の音質制御方法によれば、通話相手先との通話音声に関わる周波数特性及び、その通話相手先の電話番号を対応付けて記憶管理しておき、通話相手先との通信動作を検出すると、通話相手先の電話番号に対応した周波数特性を検索し、この検索した周波数特性に基づいて通話相手先との通話音声の音質を制御するようにしたので、同一電話番号の通話相手先と再度通話する際には、その通話相手先の電話番号に対応した周波数特性に基づいて自動的に通話音声の音質を制御するため、その周波数特性変更に関わる操作を行う必要がなく、その結果、その周波数特性変更に関わる操作性を著しく良好にすることができる。
【図面の簡単な説明】
【図１】本発明の電話機における実施の形態を示す電話システムの親機電話機内部の概略構成を示すブロック図
【図２】本実施の形態に関わる親機電話機の外観構成及び親機電話機の親機ＬＣＤの表示内容を示す説明図
【図３】本実施の形態に関わる親機電話機の親機制御部内部の概略構成を示すブロック図
【図４】本実施の形態に関わる通話音声の周波数特性パターンを示す説明図
【図５】本実施の形態に関わる親機電話機の親機記憶部内部における電話帳メモリのテーブル構成を端的に示す説明図
【図６】本実施の形態に関わる親機電話機の親機ＬＣＤの表示内容を端的に示す説明図
ａ）送信側周波数特性を“ノーマル”設定した場合
ｂ）送信側周波数特性を“高域強調”設定した場合
ｃ）送信側周波数特性を“低域強調”設定した場合
【図７】本実施の形態に関わる子機電話機内部の概略構成を示すブロック図
【図８】本実施の形態に関わる親機電話機の周波数特性設定登録処理に関わる親機制御部の処理動作を示すフロー図
【図９】本実施の形態に関わる親機電話機の周波数特性変更処理に関わる親機制御部の処理動作を示すフロー図
【図１０】本実施の形態に関わる親機電話機の外部ＤＴＭＦ信号周波数特性変更処理に関わる親機制御部の処理動作を示すフロー図
【図１１】本実施の形態に関わる親機電話機の発信用音質設定処理に関わる親機制御部の処理動作を示すフロー図
【図１２】本実施の形態に関わる親機電話機の着信用音質設定処理に関わる親機制御部の処理動作を示すフロー図
【図１３】本実施の形態に関わる親機電話機の親機ＤＳＰの代替とした音声変更部内部の概略構成を示すブロック図
【符号の説明】
１０Ａ  親機電話機（電話機）
１１Ａ  親機ＤＳＰ（音質制御手段）
１３Ａ  ハンドセット部（通話手段）
２０Ａ  親機記憶部（周波数特性記憶手段）
４１    通信制御部（通信動作検出手段）
４２    キー監視部（通信動作検出手段）
４４    メモリ制御部（周波数特性記憶制御手段）
４５    音質制御部（音質制御手段）
４５Ａ  受話側音質制御部（音質制御手段）
４５Ｂ  送話側音質制御部（音質制御手段）
４６    周波数特性変更部（周波数特性変更手段）
４７    通話相手先電話番号検出部（通信動作検出手段）
４８    周波数特性検索部（周波数特性検索手段）
【図１】
2005020424.tif 000003
【図２】
2005020424.tif 000004
【図３】
2005020424.tif 000005
【図４】
2005020424.tif 000006
【図５】
2005020424.tif 000007
【図６】
2005020424.tif 000008
【図７】
2005020424.tif 000009
【図８】
2005020424.tif 000010
【図９】
2005020424.tif 000011
【図１０】
2005020424.tif 000012
【図１１】
2005020424.tif 000013
【図１２】
2005020424.tif 000014
【図１３】
2005020424.tif 000015